(57)【要約】【構成】所定の勾配で設置された第１〜第５雨水貯留管１２を有する。各管１２は、複数本の合成樹脂製の内外面平滑波付管１８をゴム輪接合で直列に接続して形成されている。各雨水貯留管１２の流出側端部１２ｂには泥溜め部２２を形成してあり、泥溜め部２２にはバケツ２４を装着してある。各雨水貯留管１２は、雨水を貯留することができ、雨水が管１２内に流入するときに砂や泥も流入するが、雨水貯留管１２が所定の勾配で設置されているので、砂や泥が勾配の下側に搬送されて、そこに配置されているバケツ２４内に流入する。よって、雨水貯留管１２内に砂や泥が堆積することを防止できるし、砂や泥が溜まったバケツ２４は、点検口４０ａから引き上げてその砂や泥を取り出すことができる。【効果】雨水貯留管がゴム輪接合されるので施工が簡単であり、雨水貯留管内に流入する砂や泥の取り出しを、簡単にしかも低コストで行うことができる。【選択図】  図２
2004270395.tif 000002
【特許請求の範囲】
【請求項１】
複数本の合成樹脂管を直列に接続した雨水貯留管を用いる雨水貯留システムであって、
前記雨水貯留管に勾配をつけ、前記勾配の上側を流入側とし、下側を流出側とし、さらに
前記雨水貯留管に泥溜め部を形成した、雨水貯留システム。
【請求項２】
前記泥溜め部に点検口から引き上げ可能にバケツを設けた、請求項１記載の雨水貯留システム。
【請求項３】
複数本の前記雨水貯留管のそれぞれの流出側を接続する流出管を設けた、請求項１または２記載の雨水貯留システム。
【請求項４】
複数本の前記雨水貯留管のそれぞれの流入側を接続する流入管を設けた、請求項１ないし３のいずれかに記載の雨水貯留システム。
【発明の詳細な説明】
【０００１】
【産業上の利用分野】
この発明は雨水貯留システムに関し、特にたとえば、駐車場や道路の側溝等から流入する雨水を貯留する、雨水貯留システムに関する。
【０００２】
【従来技術】
従来、地中に埋設した貯留槽に雨水を一時的に貯留して、その後徐々に排出することによって、河川への集中的な雨水の流入を調整することが行われている。雨水の貯留浸透槽の一例として、図６に示すものがある（たとえば、特許文献１参照。）。この貯留浸透槽１は、コンクリート製であって地中に設置されており、水平に配置された底面壁２を有している。この底面壁２の左右の各縁部には、側壁３が垂直に配置されていて、この一対の側壁３の上に上床壁４が水平に配置されている。さらに、この貯留浸透槽１内には、開口部５ａを有する間仕切り壁５が配置されている。
【０００３】
この貯留浸透槽１によると、雨水が集水桝６および集水口４ａを通って貯留浸透槽１内に流入して、この槽１内で一時的に貯留される。そして、この貯留されている雨水は、側壁３を浸透して地下水として排出される。
【０００４】
また、雨水貯留槽の他の例として、たとえば空隙率の高い多数の合成樹脂製部材（たとえばタキロン株式会社製のアクアトラップ、積水化学工業株式会社製のクロスウェーブ）を地中に埋設して、この部材の隙間に雨水が溜まるようにしたものがある。この貯留槽（図示せず）を造るときは、まず掘削孔を形成し、この掘削孔内に保護シートおよび遮水シートを重ねるようにして敷設する。そして、この敷設された保護シートおよび遮水シート上に合成樹脂製部材を積み上げる。次に、この合成樹脂製部材を保護シートおよび遮水シートによって包み込んで埋め戻しを行う。これで作業が終了する。
【０００５】
さらに他の例として、たとえば複数本の合成樹脂管（たとえば大日本プラスチック株式会社製のハウエル管）を直列に接続して地中に埋設し、この合成樹脂管（貯留管）内に雨水を溜めるようにしたものがある。
【０００６】
この貯留槽および貯留管によると、雨水が貯留槽や貯留管内に流入してその内部で一時的に貯留される。この貯留されている雨水は、たとえば取水口から取り出して利用することができる。
【０００７】
【特許文献１】
特開平１０−２３７９３２号公報
【０００８】
【発明が解決しようとする課題】
しかし、図６に示す貯留浸透槽１では、底面壁２、側壁３、上床壁４および間仕切り壁５の材質がコンクリートであり重量が大きいので、施工性が悪いという問題がある。
【０００９】
そして、合成樹脂製部材を使用する貯留槽では、保護シートおよび遮水シートが破れる恐れがあり、各シートが破れると、雨水の貯留ができなくなるという問題がある。そして、保護シートおよび遮水シートの敷設や各シート（熱可塑性樹脂）どうしの溶接、ならびに合成樹脂製部材の組み立てや積み重ねに手間が掛かるという問題もある。
【００１０】
また、図６に示す貯留浸透槽１、合成樹脂製部材を使用する貯留槽、および合成樹脂管を使用する貯留管では、それぞれの内部に堆積する砂や泥の取り出しが困難である。つまり、各槽や貯留管内の砂や泥を取り出すときは、たとえばバキューム装置を使用して吸い出しているので、砂や泥を取り出すためのコストが嵩む。
【００１１】
それゆえに、この発明の主たる目的は、施工が簡単であって、雨水貯留管内に流入する砂や泥の取り出しを、簡単にしかも低コストで行うことができる、雨水貯留システムを提供することである。
【００１２】
【課題を解決するための手段】
この発明は、複数本の合成樹脂管を直列に接続した雨水貯留管を用いる雨水貯留システムであって、雨水貯留管に勾配をつけ、勾配の上側を流入側とし、下側を流出側とし、さらに雨水貯留管に泥溜め部を形成した、雨水貯留システムである。
【００１３】
【作用】
この発明によれば、雨水貯留管を雨水が流入するように設置して使用する。これによって、雨水をこの雨水貯留管内に貯留することができる。そして、雨水に伴って砂や泥が雨水貯留管内に流入することがあるが、雨水貯留管が所定の勾配で設置されているので、砂や泥が効率よく雨水によって搬送される。そして、砂や泥はこの雨水貯留管に設けた泥溜め部に溜められる。したがって、雨水貯留管内に砂や泥が堆積することを防止できる。
なお、その泥溜め部にバケツを配置すれば、泥や砂はバケツ内に流入する。そして、バケツ内に溜まった砂や泥を排出するときは、バケツを点検口から引き上げてそのバケツ内の砂や泥を取り出せばよいので、砂や泥を簡単に捨てることができる。
【００１４】
また、雨水貯留管の流出側を流出管を介してたとえば河川等に接続した場合は、雨水貯留管内に貯留されている雨水を、河川等への集中的な雨水の流入を調整しながら河川等に排出することができる。さらに、雨水貯留管内に貯留されている雨水を、たとえば散水，洗車用の水，および消火水として利用することができる。
【００１５】
そして、雨水貯留管は、合成樹脂管をゴム輪接合などによって接続して形成できること、およびこのようにして形成された雨水貯留管が比較的軽量であることによって、施工が簡単であり、比較的高い水密性が得られる。そして、雨水貯留管の長さや本数を変更することによって、所望の雨水貯留量の雨水貯留システムを提供できる。
【００１６】
【発明の効果】
この発明によれば、雨水貯留管内に雨水に伴って流入する砂や泥を泥溜め部に流入させるので、雨水貯留管内に流入する砂や泥の取り出しを、簡単にしかも低コストで行うことができる。したがって、この雨水貯留システムによると、予め規定された量の雨水を貯留するという機能を低コストで長期間維持することができる。
【００１７】
この発明の上述の目的，その他の目的，特徴および利点は、図面を参照して行う以下の実施例の詳細な説明から一層明らかとなろう。
【００１８】
【実施例】
この発明に係る雨水貯留システムの一実施例を図１〜図５を参照して説明する。この雨水貯留システム１０は、図１に示すように、たとえば５本の第１〜第５雨水貯留管１２を備えており、各管１２内に雨水を貯留することができるものである。これら５本の第１〜第５雨水貯留管１２は、それぞれの流入側端部１２ａが流入管１４で接続され、それぞれの流出側端部１２ｂが流出管１６で接続されている。
【００１９】
第１〜第５雨水貯留管１２は、図１に示すように、互いに平行する状態で、たとえば駐車場の地下に所定の勾配が付けられて埋設されている。これら５本の雨水貯留管１２は、それぞれが同等のものであるので、図１（Ａ）の１番下に示す第１雨水貯留管１２を説明して、同図の下から２番目〜５番目に示す他の４本の第２〜第５雨水貯留管１２の説明を省略する。
【００２０】
雨水貯留管１２は、たとえば３本の合成樹脂製の内外面平滑波付管１８，１８，２０をゴム輪接合で直列に接続したものである。この３本の内外面平滑波付管１８，１８，２０のうち、流出管１６側（勾配の下側）の２本の管１８がゴム輪受口片受け管であり、流入管１４側（勾配の上側）の１本の管２０がゴム輪受口を備えていない直管である。また、図１（Ｂ），図２および図３に示すように、雨水貯留管１２の流出側端部１２ｂの管底１２ｃには、泥溜め部２２が形成されている。
【００２１】
泥溜め部２２は、たとえば円筒形の凹部であり、雨水貯留管１２の管底１２ｃに形成された円形の貫通孔２２ａを有している。この貫通孔２２ａの周縁の下面には、短円筒状の周壁２２ｂの上端部がたとえば融着され、この周壁２２ｂの下側開口部が円板２２ｃで閉じられている。この泥溜め部２２内にバケツ２４が配置されている。なお、貫通孔２２ａの内周面には、筒状部材が融着されており、雨水が雨水貯留管１２の管壁内部に流入しないように密封してある。
【００２２】
バケツ２４は、たとえば底壁を有する円筒形状の容器であり、泥溜め部２２の内面と対応する形状である。バケツ２４は、この泥溜め部２２内に装着できるように、それよりも少し小さく形成されており、材質がたとえば金属または水よりも比重の大きい合成樹脂である。バケツ２４の上側開口縁は管底１２ｃの円弧に沿った円弧状に形成される。しかしながら、この上端開口縁の形状は円弧状に限らず、泥や砂がスムーズに流れ込む形状であれば、任意の形状を採用し得る。そして、この開口縁には、環状の鍔状部２４ａが形成される。この鍔状部２４ａは、泥溜め部２２の開口縁よりも直径が大きく、かつ雨水貯留管１２の管底１２ｃに沿うように湾曲する形状に形成されている。したがって、バケツ２４が泥溜め部２２内に収容された状態で、鍔状部２４ａの下面が雨水貯留管１２の管底１２ｃの内面と当接するので、バケツ２４の外周面と泥溜め部２２の内周面との隙間の環状の上側開口部を塞ぐことができ、この隙間に砂や泥が流入しないようにすることができる。これによって、泥溜め部２２内への砂や泥の流入を防止でき、鍔状部２４ａが雨水貯留管１２の管底１２ｃに当接する状態で、バケツ２４を泥溜め部２２内に装着することができる。その結果、雨水貯留管１２内に流入する砂や泥を、バケツ２４内に確実に流入させることができる。また、バケツ２４には、把手２６が取り付けられており、把手２６の両端部が鍔状部２４ａと結合している。この把手２６には、ワイヤ２８の下端部が結合しており、このワイヤ２８の上端部が図２に示す内蓋３４に結合している。もちろん、ワイヤ２８を使用する代わりに、たとえば合成樹脂製のロープ等を使用してもよい。
【００２３】
そして、図２および図３に示すように、泥溜め部２２の上方であって、雨水貯留管１２の管壁上部には、短円筒状の縦管３０が接続している。この縦管３０が接続する雨水貯留管１２の上部には、円形の貫通孔３２が形成されている。この貫通孔３２には、縦管３０の下端部が挿入された状態でたとえば融着され、この縦管３０の上側開口部が内蓋３４によって閉じられている。この内蓋３４は、上述したように、ワイヤ２８を介してバケツ２４と連結している。そして、この縦管３０の上端部の外側には、台座３６が配置されており、この台座３６の上面に短筒状部３８を介して受枠４０が設置されている。この受枠４０の開口部（点検口）４０ａは防護蓋（鉄蓋）４２で閉じられている。この防護蓋４２の上面が地面４４に表れている。なお、縦管３０および雨水貯留管１２の呼び径は、たとえばそれぞれ１５０〜３００ｍｍおよび４００〜６００ｍｍである。そして、図２および図３では、防護蓋４２，内蓋３４およびバケツ２４が明確となるように、それぞれを同じ方向から見た状態で示してある。
【００２４】
また、図１に示すように、第１〜第５雨水貯留管１２のそれぞれの流出側端部１２ｂは、流出管１６によって接続されている。この流出管１６の流出側端部は、たとえば河川に接続されている。流出管１６にはたとえば弁（図示せず）が取り付けられており、この弁を閉じることによって第１〜第５雨水貯留管１２内に雨水を貯留することができる。弁を開けることによって、第１〜第５雨水貯留管１２内の雨水をたとえば河川に排出することができる。
【００２５】
流出管１６は、第１〜第５流出管継手４６，４８を備えており、各流出管継手４６，４８は接続管５０を介して接続している。そして、第１〜第５流出管継手４６，４８は、それぞれと対応する第１〜第５雨水貯留管１２のそれぞれの流出側端部１２ｂと接続している。つまり、第１流出管継手４６は、Ｌ字形管継手であり、第２〜第５流出管継手４８はＴ字形管継手である。第１〜第５流出管継手４６，４８において、第１〜第５雨水貯留管１２と接続する各流入口を形成するそれぞれの受口４６ａ，４８ａには、短管５２が接続されている。この５つの各短管５２と、第１〜第５雨水貯留管１２のそれぞれの流出側端部１２ｂとの接続構造は、それぞれ同一であるので、第１雨水貯留管１２の流出側端部１２ｂと短管５２との接続構造を図２を参照して説明し、これ以外の接続構造の説明を省略する。
【００２６】
図２に示すように、第１雨水貯留管１２の流出側端部１２ｂには、合成樹脂製の円板５４が融着されており、この円板５４によって流出側端部１２ｂの開口部が閉じられている。そして、円板５４には、流出口５６が形成されており、流出口５６には短管５２の一端が挿入された状態で、たとえば接着剤によって円板５４に接着されている。短管５２の管底５２ａは、図２および図５（Ｂ）に示すように、雨水貯留管１２の管底１２ｃとほぼ一致しており、雨水貯留管１２内に貯留される雨水を、流出管１６側に確実に流出できるようになっている。このようにして、第１〜第５雨水貯留管１２のそれぞれの流出側端部１２ｂは、各短管５２を介して第１〜第５流出管継手４６，４８のそれぞれの受口４６ａ，４８ａと接続している。
【００２７】
さらに、図１に示すように、第１〜第５雨水貯留管１２のそれぞれの流入側端部１２ａは、流入管１４によって接続されている。この流入管１４の流入側端部は、たとえば駐車場に形成されている側溝（図示せず）と接続している。この側溝は、駐車場等の地面４４から流入する雨水を集めて流入管１４に送り込むことができる。
【００２８】
流入管１４は、第１〜第５流入管継手５８，６０を備えており、各流入管継手５８，６０は接続管５０を介して接続している。そして、第１〜第５流入管継手５８，６０は、それぞれと対応する第１〜第５雨水貯留管１２のそれぞれの流入側端部１２ａと接続している。つまり、第１〜第４流入管継手５８はＴ字形管継手であり、第５流入管継手６０はＬ字形管継手である。第１〜第５流入管継手５８，６０において、第１〜第５雨水貯留管１２と接続する各流出口を形成するそれぞれの受口５８ａ，６０ａには、短管５２が接続されている。この５つの各短管５２と、第１〜第５雨水貯留管１２のそれぞれの流入側端部１２ａとの接続構造は、それぞれ同一である。
【００２９】
第１〜第５雨水貯留管１２のそれぞれの流入側端部１２ａと、各短管５２との接続構造は、図５（Ａ）および図１（Ｂ）に示すように、各短管５２の頂部と、雨水貯留管１２の各頂部とがほぼ一致しており、雨水貯留管１２内に貯留される雨水が流入管１４側に逆流しないようになっている。これ以外は、第１〜第５雨水貯留管１２のそれぞれの流出側端部１２ｂと、各短管５２との接続構造と同等であり、それらの詳細な説明を省略する。
【００３０】
次に、図４を参照して、雨水貯留管１２を構成する内外面平滑波付管１８、およびこの管１８を接合するゴム輪受口６２について説明する。この内外面平滑波付管１８は、材質がたとえばポリエチレン等の合成樹脂であって、管本体６４とゴム輪受口６２とを有しており、図４に示すような断面形状である。
【００３１】
管本体６４は、それぞれが円筒形に形成された外層部６４ａおよび内層部６４ｂ、ならびに外層部６４ａと内層部６４ｂとの間に形成された中間層部６４ｃを含み、これらが互いに結合して一体となっている。中間層部６４ｃは、断面形状が台形であって中空の突条であり、外層部６４ａと内層部６４ｂとの間に螺旋状に巻回されて形成されている。
【００３２】
ゴム輪受口６２は、管軸に対して垂直な断面形状が円形の筒状体であり、一方の開口部は、管本体６４を含む別の管２０の差口２０ａが挿入される挿入口６２ａとして形成されており、他方の開口部は、管本体６４の端部が挿入された状態で融着されている固着受口６２ｂとして形成されている。また、ゴム輪受口６２の周壁には、挿入口６２ａの側から順にリブ６２ｃ，ゴム輪受容部６２ｄ，リブ６２ｃおよび凹部６２ｅが形成されている。このゴム輪受容部６２ｄにはゴム輪６６が装着されており、このゴム輪６６は接合部を密封するためのものである。
【００３３】
図１等に示す雨水貯留システム１０によると、このシステムが設置されているたとえば駐車場において、側溝に雨水が流入すると、雨水がこの側溝および流入管１４を通って第１〜第５の各雨水貯留管１２および流出管１６に流入して貯留される。このとき、流出管１６に設けられている弁は閉じている。そして、さらに雨水が第１〜第５の各雨水貯留管１２内に流入すると、各雨水貯留管１２内の雨水の水位が上昇する。
【００３４】
雨水が第１〜第５の各雨水貯留管１２内に流入するときに、雨水に伴って砂や泥が各雨水貯留管１２内に流入することがあるが、各雨水貯留管１２が所定の勾配で設置されているので、砂や泥が勾配の下側である流出管１６側に効率よく雨水によって搬送されて、この流出側の泥溜め部２２に設けられているバケツ２４内に流入する。したがって、各雨水貯留管１２内に砂や泥が堆積することを防止できる。
【００３５】
また、第１〜第５の各雨水貯留管１２内に配置されているバケツ２４内に溜まった砂や泥を排出するときは、バケツ２４を点検口４０ａから引き上げてそのバケツ２４内の砂や泥を取り出せばよい。つまり、防護蓋４２および内蓋３４を開けて、この内蓋３４に連結されているワイヤ２８をたとえば手繰ることによってバケツ２４を点検口４０ａから引き上げる。そして、バケツ２４内の砂や泥を地上に取り出す。このようにして、各雨水貯留管１２内に流入する砂や泥の取り出しを、簡単にしかも低コストで行うことができる。したがって、この雨水貯留システム１０によると、予め規定された量の雨水を貯留するという機能を低コストで長期間維持することができる。
【００３６】
この空になったバケツ２４を泥溜め部２２内に戻すときは、バケツ２４を点検口４０ａに挿入して、このバケツ２４をワイヤ２８で吊るした状態で下ろして泥溜め部２２内に装着する。そして、内蓋３４および防護蓋４２を閉じればよい。
【００３７】
また、第１〜第５雨水貯留管１２内に貯留されている雨水は、たとえば流出管１６に設けられている弁を開放することによって、河川等に適量ずつ排出することができ、これによって、河川への集中的な雨水の流入を調整することができる。さらに、第１〜第５雨水貯留管１２内に貯留されている雨水は、たとえば点検口４０ａから取り出すことによって、たとえば散水，洗車用の水，および消火水として利用することができる。このとき、雨水を取り出すためにポンプ（図示せず）を使うことも当然考えられる。
【００３８】
そして、第１〜第５の各雨水貯留管１２は、合成樹脂性の内外面平滑波付管１８，２０をゴム輪接合によって接続して形成できること、およびこのようにして形成された雨水貯留管１２が比較的軽量であることによって、施工が簡単であり、比較的高い水密性が得られる。そして、雨水貯留管１２の長さや列数（本数）を変更することによって、所望の雨水貯留量の雨水貯留システム１０を提供できる。
【００３９】
ただし、図１に示す実施例では、泥溜め部２２および縦管３０の直径を雨水貯留管１２よりも小さくしたが、たとえば雨水貯留管１２の太さに応じて、泥溜め部２２および縦管３０の直径を雨水貯留管１２と同等としてもよいし、これよりも大きくしてもよい。
【００４０】
そして、図１に示す実施例では、雨水貯留管１２を内外面平滑波付管１８，２０で形成したが、これ以外の合成樹脂管で形成してもよい。たとえば、内面平滑波付管やプレーン管（波やリブが付いていない管）を使用してもよい。
【００４１】
さらに、上述の実施例では合成樹脂管を直列接続するためにゴム輪接合を採用した。しかしながら、たとえば溶接、接着など他の適宜の接合方法が用いられてもよい。
【００４２】
また、上述の実施例では泥溜め部２２は雨水貯留管１２の流出側端部１２ｂに１個だけ設けたが、泥溜め部を設ける位置やその個数は何ら制限されるものではなく、たとえば雨水貯留管１２の長さ方向中央と流出側端部の２箇所に設けてもよい。しかも、実施例ではバケツ２４を泥溜め部２２内に設置し、バケツ内に溜まった砂や泥をバケツを引き上げることによって捨てるようにした。しかしながら、バケツを設けず、泥溜め部に溜まった泥や砂を直接取り出すようにしてもよい。
【図面の簡単な説明】
【図１】（Ａ）はこの発明に係る雨水貯留システムの一実施例を示す平面図、（Ｂ）は図１（Ａ）に示す雨水貯留システムの正面図である。
【図２】図１（Ｂ）の実施例の雨水貯留システムに設けられている泥溜め部およびバケツ等を示す拡大部分断面図である。
【図３】図２の実施例の雨水貯留システムをＩＩＩ−ＩＩＩ方向から見た拡大断面図である。
【図４】図１の実施例の雨水貯留システムが備える雨水貯留管のゴム輪接合部を示す拡大部分断面図である。
【図５】（Ａ）は図１の実施例の雨水貯留システムが備える流入管を示す拡大側面図、（Ｂ）は図１の実施例の雨水貯留システムが備える流出管を示す拡大側面図である。
【図６】従来の貯留浸透槽を示す縦断面図である。
【符号の説明】
１０  …雨水貯留システム
１２  …雨水貯留管
１２ａ  …流入側端部
１２ｂ  …流出側端部
１４  …流入管
１６  …流出管
１８，２０  …内外面平滑波付管
２２  …泥溜め部
２４  …バケツ
２６  …把手
２８  …ワイヤ
３４  …内蓋
４０  …受枠
４０ａ  …点検口
４２  …防護蓋
４４  …地面
４６  …第１流出管継手
４８  …第２〜第５流出管継手
５０  …接続管
５２  …短管
５６  …流出口
５８  …第１〜第４流入管継手
６０  …第５流入管継手
６２  …ゴム輪受口
６４  …管本体
６６  …ゴム輪
【図１】
2004270395.tif 000003
【図２】
2004270395.tif 000004
【図３】
2004270395.tif 000005
【図４】
2004270395.tif 000006
【図５】
2004270395.tif 000007
【図６】
2004270395.tif 000008